(57)【要約】      （修正有）【課題】矯正治療中における患者の不安を緩和させ、治療に対するモチベーションを上げ、長期に渡る治療を継続させることを支援する歯科矯正支援装置および歯科矯正支援プログラムを提供する。【解決手段】歯科矯正支援装置１０は、矯正対象歯の治療開始時の位置から治療終了時の位置までの治療予定経路の距離と、矯正対象歯の治療開始時の位置から治療途中の位置までに基づく治療途中経路の距離とに基づいて出力する治療の進捗情報を、表示手段に表示したり、印刷装置２３により印刷して郵便物として患者Ｃに郵送したり、電子メールＥにより患者Ｃの端末装置２２に送信したりする機能を備えている。【選択図】図１
2020036755.tif 000002
【特許請求の範囲】
【請求項１】
矯正対象歯の治療開始時の位置から治療終了時の位置までの治療予定経路を設定する経路設定手段と、
前記矯正対象歯の治療開始時の位置から治療途中の位置までに基づく治療途中経路の距離と、前記治療予定経路の距離とに基づいて、治療の進捗情報を出力手段に出力する進捗処理手段とを備えた歯科矯正支援装置。
【請求項２】
前記進捗処理手段は、前記矯正対象歯の治療途中の位置が前記経路設定手段により設定された治療予定経路から外れているときに、治療途中の位置を通る経路に治療予定経路を更新する請求項１記載の歯科矯正支援装置。
【請求項３】
前記経路設定手段は、前記矯正対象歯の移動に隣在歯の移動が伴うときに、前記治療予定経路に、前記隣在歯における治療開始時の位置から治療終了時の位置までの移動経路を加算し、
前記進捗処理手段は、治療途中経路の距離として、前記矯正対象歯の治療途中経路の距離に、前記隣在歯の治療途中経路の距離を加算して、前記進捗情報を出力する請求項１または２記載の歯科矯正支援装置。
【請求項４】
前記進捗処理手段は、前記治療予定経路と前記治療途中経路とから算出した百分率を、前記進捗情報に含ませて出力する請求項１または２記載の歯科矯正支援装置。
【請求項５】
コンピュータを、
矯正対象歯の治療開始時の位置から治療終了時の位置までの治療予定経路を設定する経路設定手段、
前記矯正対象歯の治療開始時の位置から治療途中の位置までに基づく治療途中経路の距離と、前記治療予定経路の距離とに基づいて、治療の進捗情報を出力手段に出力する進捗処理手段として機能させる歯科矯正支援プログラム。
【発明の詳細な説明】
【技術分野】
【０００１】
本発明は、長期に渡る矯正治療を支援する歯科矯正支援装置および歯科矯正支援プログラムに関するものである。
【背景技術】
【０００２】
矯正治療は、患者にとって理想な歯列とするために、矯正対象歯に矯正力を掛けて移動させたり、時には矯正対象歯の移動に邪魔になる隣接した歯に矯正力を掛けて、矯正対象歯より先に移動させた後に矯正対象歯に矯正力を掛けて移動させたりする。
矯正治療を行う際に、患者から歯列の状態をデータ化して、矯正対象歯の移動方向や、矯正治療の方針を決定することをコンピュータにより行うことが知られている（例えば、特許文献１〜３参照。）。
【０００３】
特許文献１に記載の漸増的に歯を移動させるための方法およびシステムは、最初の歯列を表す最初のデジタルデータ組に基づいて視覚的画像をディスプレイ上に表示し、視覚的画像内の個々の歯を再配置するようにコンピュータを操作して、再配置された歯を有する最終的な歯列を表す最終的なデジタルデータ組を生成させると共に、最初の歯列から最終的な歯列に漸進する一連の連続する歯列を表す複数の中間のデジタルデータ組を生成させるというものである。
【０００４】
特許文献２に記載の透明矯正器製造方法は、歯科主治医から転送された患者の現在歯牙データと、主治医の矯正内容に基づいて矯正処理して生成された多数個のステップに区分されて進められる矯正歯牙データとによって多数個の金型を製作し、多数個の金型に透明素材を真空圧着して透明矯正器が製造されるというものである。
【０００５】
特許文献３に記載の歯科用装置のコンピュータシステム支援設計は、コンピュータシステムで、患者の１つ以上の歯の初期位置を提供する３Ｄ歯牙構造のデジタル表現を受信して、取り外し可能な歯科用装置の寸法及び形状が１つ以上の歯を初期位置から調整された位置に再配置するように構成されるというものである。
【先行技術文献】
【特許文献】
【０００６】
【特許文献１】特開２００８−１８２５３号公報
【特許文献２】特開２０１４−５１９３９２号公報
【特許文献３】特表２０１８−５０４１９１号公報
【発明の概要】
【発明が解決しようとする課題】
【０００７】
特許文献１〜３に記載の従来の歯科矯正支援装置では、矯正対象歯をどのように移動させるかを勘案しながら矯正器具を製作するためものである。しかし、矯正治療は長い期間を要するため、患者は治療が良好に進捗しているものなのか、それとも矯正対象の歯が想定した位置より移動していないのか否かが分かり難い。そのため、患者は矯正治療を途中で止めてしまうことがある。
【０００８】
そこで本発明は、矯正治療中における患者の不安を緩和させ、治療に対するモチベーションを上げ、長期に渡る治療を継続させることを支援する歯科矯正支援装置および歯科矯正支援プログラムを提供することを目的とする。
【課題を解決するための手段】
【０００９】
本発明の歯科矯正支援装置は、矯正対象歯の治療開始時の位置から治療終了時の位置までの治療予定経路を設定する経路設定手段と、前記矯正対象歯の治療開始時の位置から治療途中の位置までに基づく治療途中経路の距離と、前記治療予定経路の距離とに基づいて、治療の進捗情報を出力手段に出力する進捗処理手段とを備えたことを特徴とする。
【００１０】
また、本発明の歯科矯正支援プログラムは、コンピュータを、矯正対象歯の治療開始時の位置から治療終了時の位置までの治療予定経路を設定する経路設定手段、前記矯正対象歯の治療開始時の位置から治療途中の位置までに基づく治療途中経路の距離と、前記治療予定経路の距離とに基づいて、治療の進捗情報を出力手段に出力する進捗処理手段として機能させることを特徴とする。
【００１１】
本発明によれば、経路設定手段により設定された治療予定経路の距離と、治療途中経路の距離とに基づいて、進捗処理手段が治療の進捗情報を出力するため、患者は矯正治療の進捗度合いを把握することができる。
【００１２】
前記進捗処理手段は、前記矯正対象歯の治療途中の位置が前記経路設定手段により設定された治療予定経路から外れているときに、治療途中の位置を通る経路に治療予定経路を更新することができる。
矯正対象歯が予定とは異なる迂回した経路で移動しても、進捗処理手段が実際に即した進捗度合いを算出することができるため、正確な進捗情報を患者に提供することが可能である。
【００１３】
前記経路設定手段が、前記矯正対象歯の移動に隣在歯の移動が伴うときに、前記治療予定経路に、前記隣在歯における治療開始時の位置から治療終了時の位置までの移動経路を加算し、前記進捗処理手段が、治療途中経路の距離として、前記矯正対象歯の治療途中経路の距離に、前記隣在歯の治療途中経路の距離を加算して、前記進捗情報を出力することができる。
進捗処理手段が、移動させる歯の全ての距離の合算により、進捗情報を出力することができるので、矯正治療が着実に進捗していることを患者に提示することができる。
【００１４】
前記進捗処理手段は、前記治療予定経路と前記治療途中経路とから算出した百分率を、前記進捗情報に含ませて出力することができる。
進捗処理手段が、治療予定経路と治療途中経路とから算出した百分率で表した進捗情報を含ませているため、患者は進捗度合いを定量的に把握することができる。
【発明の効果】
【００１５】
本発明によれば、患者は矯正治療の進捗度合いを把握することができるので、矯正治療中における患者の不安を緩和させ、治療に対するモチベーションを上げ、長期に渡る治療を継続させることを支援することができる。
【図面の簡単な説明】
【００１６】
【図１】本発明の実施の形態に係る歯科矯正支援装置を用いた歯科矯正支援システムの構成を説明するための図である。
【図２】図１に示す歯科矯正支援装置の構成を説明するための図である。
【図３】治療前模型および治療中模型に基づいて作製されるアライナーを用いた矯正治療を説明するための図である。
【図４】治療予定経路の設定を説明するための図であり、（Ａ）は矯正対象歯の治療開始時の位置を設定する際の画面の一例の図、（Ｂ）は矯正対象歯の治療終了時の位置を設定する際の画面の一例の図、（Ｃ）は（Ｂ）の矯正対象歯を含む歯列の一部拡大図である。
【図５】（Ａ）は表示手段に表示された進捗情報の一例を示す図であり、（Ｂ）は（Ａ）の矯正対象歯を含む歯列の一部拡大図である。
【図６】電子メールに記載された進捗情報の一例を示す図である。
【図７】矯正対象歯の治療途中の位置が治療予定経路から外れ、あらたな治療予定経路が設定されることを説明するための図である。
【図８】矯正対象歯だけでなく隣在歯も移動させる場合を説明するための図である。
【発明を実施するための形態】
【００１７】
本発明の実施の形態に係る歯科矯正支援装置を図面に基づいて説明する。
図１に示す歯科矯正支援装置１０は、患者Ｃの矯正治療を支援するものである。歯科矯正支援装置１０は、歯科技工所に設置され、歯科矯正支援プログラムが動作するコンピュータである。
歯科矯正支援装置１０は、電気通信回線の一例であるインターネットＷを介して、矯正治療の進捗度合いを通知するための情報提供装置２１および患者Ｃが操作するスマートフォンなどの端末装置２２に、通信可能に接続されている。
歯科矯正支援装置１０には、周辺機器として、印刷装置２３と、３Ｄスキャナ装置２４と、３Ｄプリンタ装置２５とが接続されている。
情報提供装置２１は、歯科技工所に設置したコンピュータとする以外に、レンタルサーバーとして運用されるコンピュータとしたり、歯科矯正支援サービスを提供する運営会社に設置したコンピュータとしたりすることができる。
【００１８】
図２に示すように、歯科矯正支援装置１０は、通信手段１０１と、３Ｄスキャナ制御手段１０２と、３Ｄモデル処理手段１０３と、３Ｄプリンタ制御手段１０４と、経路設定手段１０５と、進捗処理手段１０６と、メール処理手段１０７と、印刷制御手段１０８と、表示手段１０９と、入力手段１１０と、記憶手段１１１とを備えている。
【００１９】
通信手段１０１は、インターネットＷからの受信データを受信して、歯科矯正支援装置１０の各手段へ出力したり、歯科矯正支援装置１０の各手段からの送信データを入力して、インターネットＷへ送信したりする。
【００２０】
３Ｄスキャナ制御手段１０２は、３Ｄスキャナ装置２４が接続され、３Ｄスキャナ装置２４から３Ｄデータを取り込む機能を備えている。
３Ｄモデル処理手段１０３は、３Ｄモデルを表示手段１０９に表示したり、入力手段１１０の操作に応じて３Ｄモデルを変更したり、３Ｄモデルを製作可能な３Ｄデータに変換したりしてする機能を備えている。
３Ｄプリンタ制御手段１０４は、３Ｄプリンタ装置２５が接続され、３Ｄデータを３Ｄプリンタ装置２５へ出力する。
【００２１】
経路設定手段１０５は、矯正対象歯の治療開始時の位置から治療終了時の位置までの治療予定経路を設定する機能を備えている。
進捗処理手段１０６は、矯正対象歯の治療開始時の位置から治療途中の位置までに基づく治療途中経路の距離と、治療予定経路の距離とに基づいて、治療の進捗情報を、メール処理手段１０７、印刷制御手段１０８または表示手段１０９に出力する機能を備えている。
【００２２】
メール処理手段１０７は、進捗処理手段１０６からの進捗情報に基づいて、メール文を生成して、図示しないメールサーバへ患者のメールアドレス宛に電子メールを送信する出力手段として機能するものである。
印刷制御手段１０８は、印刷装置２３が接続され、進捗処理手段１０６からの進捗情報に基づいて、印刷文を生成して、紙媒体に印刷する出力手段として機能するものである。
【００２３】
表示手段１０９は、各種手段から表示データを表示する出力手段として機能するものである。表示手段１０９は、ＬＣＤや有機ＥＬディスプレイ、ＣＲＴなどとすることができる。
入力手段１１０は、操作者が操作して入力データを出力するものであり、キーボード、マウス、タッチパネルなどとすることができる。
【００２４】
記憶手段１１１は、各種のプログラムや各種の設定およびデータが格納される。記憶手段１１１は、ハードディスクドライブ装置やフラッシュメモリとすることができる。記憶手段１１１は、歯科矯正支援装置１０に内蔵されたものとする以外に、クラウド上のストレージサービスを利用してもよい。
【００２５】
以上のように構成された本発明の実施の形態に係る歯科矯正支援装置を図面に基づいて説明する。
歯科医院にて、歯科医師が、印象材により、患者の口腔から印象を採得して凹型を作製し、この凹型から石膏などにより凸型となる歯型模型を作製する。以下、この歯型模型を治療前模型Ｍ１（図１および図３参照）と称する。
そして、歯科医師は、治療前模型Ｍ１を、歯科技工所へ送付する。
歯科技工所では、歯科技工士が歯科矯正支援装置１０の入力手段１１０を操作してスキャンを指示することで、３Ｄスキャナ制御手段１０２が３Ｄスキャナ装置２４を動作させ、治療前模型Ｍ１の３Ｄデータが記憶手段１１１に取り込まれる。
【００２６】
歯科技工士は、入力手段１１０を操作して経路設定手段１０５に指示することで、治療前模型Ｍ１の３Ｄデータを記憶手段１１１から読み出し、まず、図４（Ａ）に示す治療設定画面にて、矯正対象歯Ｔ１の治療開始時の位置Ｐ１を設定する。
次に、歯科技工士は、入力手段１１０を操作して経路設定手段１０５に指示し、矯正対象歯Ｔ１を移動させ、図４（Ｂ）および同図（Ｃ）に示すような矯正対象歯Ｔ１の治療終了時の位置Ｐ２を設定する。
【００２７】
このとき、治療開始時の位置Ｐ１から治療終了時の位置Ｐ２まで、まっすぐ移動する場合には、経路設定手段１０５は、治療予定経路として、治療開始から治療終了までの最短距離が直線で示される。なお、直線に移動しつつ、途中で何回か折れ曲がるような移動をする場合には、その経路を、治療予定経路として、そのまま設定する。
また、治療開始時の位置Ｐ１から治療終了時の位置Ｐ２まで、矯正対象歯Ｔ１を、円弧を描くように移動させる場合には、入力手段１１０により治療予定経路として円弧曲線を入力することで、円弧状の曲線が示される。
【００２８】
本実施の形態では、矯正対象歯Ｔ１が上顎右側の中切歯を曲線移動させるため、図４（Ｂ）および同図（Ｃ）に示すように治療予定経路Ｒ１として円弧状の曲線が示されている。
【００２９】
このようにして、治療予定経路Ｒ１を設定して治療計画が策定できると、歯科技工士は、最初の段階に適用されるマウスピース型の歯科矯正装置（以下、アライナーと称す。）を成形するための歯型模型を作製する。以下、この歯型模型を段階別模型Ｍ２（図１および図３参照）と称す。
【００３０】
段階別模型Ｍ２の作製は、まず、歯科技工士が、３Ｄモデル処理手段１０３が表示手段１０９に表示した治療前模型Ｍ１の３Ｄデータに基づき、入力手段１１０を操作して、矯正対象歯を最初の段階の位置Ｐ２まで移動させた３Ｄデータを作成する。３Ｄモデル処理手段１０３は、３Ｄデータを記憶手段１１１に格納する。
【００３１】
アライナーを作製するための最初の段階における段階別模型Ｍ２は、治療開始時の位置から治療終了時の位置までの移動経路にて、矯正対象歯を最初の段階の終了位置まで移動させた状態のものとなる。
例えば、患者Ｃから１ヶ月ごとに印象を取り、歯型模型を作製し、新しいアライナーを作製する治療計画とすると、３Ｄデータは矯正対象歯が１ヶ月後に移動した位置の状態のものとなる。
【００３２】
次に、歯科技工士は、入力手段１１０を操作して、３Ｄプリンタ制御手段１０４に指示することで、この３Ｄデータに基づいて３Ｄプリンタ装置２５により段階別模型Ｍ２を作製する。
【００３３】
図１および図３に示すように、歯科技工士は、段階別模型Ｍ２に基づいて複数種類のアライナーＡ１〜Ａ３を作製する。本実施の形態では、３種類の硬さのものが３個作製される。
アライナーＡ１〜Ａ３は、従来の方法により作製することができる。例えば、厚みが異なる複数種類の樹脂板を段階別模型Ｍ２に押圧して、段階別模型Ｍ２の形状を樹脂板に転写することでアライナーＡ１〜Ａ３を作製することができる。
【００３４】
これらのアライナーＡ１〜Ａ３は、歯科医院に送付される。歯科医院では、最初に最も軟質なアライナーＡ１が患者Ｃに装着される。
患者Ｃは、所定の期間、例えば１０日間ほどアライナーＡ１を装着すると、次のステップの硬さのアライナーＡ２を装着する。このようにして、患者Ｃは、ステップごとに硬さが硬くなるアライナーを装着して、最後は最も硬いアライナーＡ３を順に装着することで矯正治療を進める。
【００３５】
そして、最初の段階が終わると、患者Ｃから再度、歯型模型を作製する。以下、この歯型模型を治療中模型Ｍ３と称す。この治療中模型Ｍ３は、治療前模型Ｍ１と同じ手順で作製される。
歯科医師は、治療中模型Ｍ３を、歯科技工所へ送付する。
歯科技工所では、歯科技工士が、図２に示す歯科矯正支援装置１０の入力手段１１０を操作してスキャンを指示することで、３Ｄスキャナ制御手段１０２が３Ｄスキャナ装置２４を動作させ、治療中模型Ｍ３の３Ｄデータが記憶手段１１１に取り込まれる。
【００３６】
治療中模型Ｍ３の３Ｄデータをスキャンすると、治療前模型Ｍ１から段階別模型Ｍ２を作製したときと同様に、矯正対象歯が１ヶ月後に移動した位置の状態の３Ｄデータを作成し、この３Ｄデータに基づいて３Ｄプリンタ装置２５により、次の段階の段階別模型Ｍ２を作製する。
そして、次の段階の段階別模型Ｍ２を歯科技工所に送付して、次の段階のアライナーＡ１〜Ａ３を作製する。
【００３７】
このような矯正治療を段階ごとに繰り返す。
そして、例えば、７段階目（７ヶ月目）ともなれば、矯正対象歯も目標とする位置にかなり近いが、患者Ｃも長期に渡る治療期間により、矯正治療が順調に進んでいるのか、不安になる頃である。
【００３８】
そこで、歯科技工士が入力手段１１０を操作して進捗処理手段１０６に指示することで、進捗処理手段１０６が、７段階目において３Ｄスキャンした治療中模型Ｍ３の３Ｄデータを記憶手段１１１から読み出すと共に、経路設定手段１０５が設定した矯正対象歯の治療開始時の位置を読み出して、矯正対象歯の治療開始時の位置から、矯正対象歯の治療途中の位置までに基づいて、治療途中経路の距離を解析する。
そして、進捗処理手段１０６が、治療予定経路の距離と、治療途中経路の距離とに基づいて、治療の進捗情報を、出力手段の一例である表示手段１０９に表示したり、印刷制御手段１０８を介して印刷装置２３から紙媒体に印刷したりすることができる。
【００３９】
例えば、進捗情報は、図５に示すような表示や印刷物とすることができる。図５に示す「矯正進捗だより」では、治療前模型Ｍ１（治療前）と、治療中模型Ｍ３と、治療終了時の矯正対象歯Ｔ１とを、それぞれ異なる色で重ね合わせることができる。また、異なる色で示される歯を重ね合わせる以外に、輪郭線を異なる太さとしたり、実線や点線、一点鎖線などとしたりして、識別可能に表現することができる。また、治療に対する説明文が掲載されている。また、進捗度合いを、治療予定経路と治療途中経路とから算出した百分率で掲載されている。
歯科技工士は、表示手段１０９に表示された進捗情報を見て、患者Ｃの進捗度合いを把握することができる。進捗情報を印刷物としたときには、歯科技工士が、この印刷物をアライナーＡ１〜Ａ３と一緒に郵便物として郵送して患者Ｃへ手渡しすることができる。
【００４０】
また、進捗処理手段１０６が、メール処理手段１０７に進捗情報を出力することで、メール処理手段１０７が進捗情報を、図６に示すような電子メールＥとして患者Ｃのメールアドレス宛にメールサーバ（図示せず）へ送信したり、電子メールを歯科医院に送付して歯科医師から患者Ｃに手渡したりすることができる。更に、進捗情報を、出力手段の一例である通信手段１０１を介して情報提供装置２１へ送信したりすることができる。情報提供装置２１は、端末装置２２からブラウザによりアクセスすることで、進捗情報をウェブページにより提供するサーバとすることができる。
情報提供装置２１は、独自のサイトにより端末装置２２に進捗情報を提供する以外に、各種のＳＮＳを通じて患者Ｃへ送信することができる。
【００４１】
患者Ｃは、メールサーバからの電子メールＥを端末装置２２により受信したり、端末装置２２により情報提供装置２１にアクセスしてウェブページに掲載された進捗情報を閲覧したりすることで、矯正治療の進捗度合いを、在宅したままで把握することができる。
【００４２】
このように、進捗処理手段１０６が、治療途中経路の距離と、治療予定経路の距離とに基づいて、治療の進捗情報を表示したり、電子メールＥで送信したり、郵便物として郵送したりまたは手渡ししたりするため、患者Ｃは矯正治療の進捗度合いを把握することができる。従って、歯科矯正支援装置１０は、患者の不安を緩和させ、長期に渡る治療を継続させることを支援することができる。
【００４３】
また、進捗処理手段１０６が出力する進捗情報に、治療予定経路と治療途中経路とから算出した百分率で表した進捗情報を含ませているため、患者は進捗度合いを定量的に把握することができる。
【００４４】
上記例では、図４に示すように矯正対象歯Ｔ１が治療予定経路Ｒ１に沿って移動した場合を説明したが、図７に示すように、治療計画では、矯正対象歯Ｔ１が円弧状の曲線移動（治療予定経路Ｒ１参照）する予定であったが、矯正対象歯Ｔ１が直線的に移動（経路Ｒ２参照）したため、矯正対象歯Ｔ１の治療途中の位置Ｐ３が、治療予定経路Ｒ１から外れる場合がある（治療前の矯正対象歯を実線、治療後の矯正対象歯を点線、治療途中の矯正対象歯を一点鎖線にて示す。）。
【００４５】
この場合、進捗処理手段１０６は、治療途中の位置Ｐ３を通る経路に治療予定経路を更新する。例えば、図７では、矯正対象歯の治療開始時の位置Ｐ１から治療途中の位置Ｐ３までの経路Ｒ２と、この位置Ｐ３から治療終了時の位置Ｐ２まで矯正対象歯を移動させる経路Ｒ３とを新たな治療予定経路とする。そうすることで、矯正対象歯が予定とは異なる迂回した経路で移動しても、実際に即した進捗度合いを算出することができるため、正確な進捗情報を患者に提供することが可能である。
【００４６】
また、矯正治療では、矯正対象歯の移動に邪魔になる隣在歯を移動させることがある。特に、隣在歯を、矯正対象歯より先に移動するときには、目的とする矯正対象歯の移動までに更に時間を要するため、辛抱強く矯正治療を続ける必要があり、患者は不安になる。
この場合、矯正対象歯だけを対象に治療予定経路を設定すると、長期に渡る治療期間の割りには、矯正対象歯があまり移動していないように見えるため、矯正治療が進んでいないと誤解を招くおそれがある。
【００４７】
そこで、矯正対象歯の移動に隣在歯の移動が伴うときには、経路設定手段１０５が、隣在歯における治療開始時の位置から治療終了時の位置までの移動経路を、治療予定経路に加算する。
そして、進捗処理手段１０６が、治療途中経路の距離として、矯正対象歯の治療途中経路の距離に、隣在歯の治療途中経路の距離を加算して、進捗情報を出力する。
【００４８】
図８に示す例では、上顎右側の中切歯Ｔ２の矯正には、隣在歯となる左側の中切歯Ｔ３も移動が伴う。
右側の中切歯Ｔ２は、治療開始時の位置Ｐ４１から治療終了時の位置Ｐ４２までの治療予定経路Ｒ４１が予定されている。また、右側の中切歯Ｔ３は、治療開始時の位置Ｐ５１から治療終了時の位置Ｐ５２までの治療予定経路Ｒ４２，Ｒ４３が予定されている。
【００４９】
従って、左右の中切歯Ｔ２，Ｔ３の矯正としては、まず、中切歯Ｔ３を位置Ｐ５１からから位置Ｐ５３まで経路Ｒ４２に従って移動させ、中切歯Ｔ２の移動スペースをつくる。次に、中切歯Ｔ２を位置４１から位置４２へ経路Ｒ４１に従って移動させる。そして、中切歯Ｔ３を位置Ｐ５３から位置Ｐ５２まで経路Ｒ４３に従って移動させる。中切歯Ｔ３が位置Ｐ５２まで移動すれば、中切歯Ｔ２の矯正が終了する。
【００５０】
この場合、中切歯Ｔ２，Ｔ３の矯正は、治療予定経路Ｒ４１，Ｒ４２，Ｒ４３の合計が移動経路の距離となる。また、治療途中経路の距離は、中切歯Ｔ２の治療開始時の位置Ｐ４１から治療途中の位置Ｐ４３までの距離に、中切歯Ｔ３の治療開始時の位置Ｐ５１から治療途中の位置Ｐ５４までの距離を加算したものとなる。
そうすることで、移動させる歯の全ての距離の合算により、進捗情報を出力することができるので、矯正治療が着実に進捗していることを患者に提示することができる。
【００５１】
以上、本実施の形態を説明したが、本実施の形態では、アライナーを用いて矯正治療を行うものであるが、ブラケット、フレンケル装置、ＦＫＯによる矯正治療、ビムラー矯正等でも、矯正治療の進捗状態を患者に提供するものとして、適用することができる。
【００５２】
また、本実施の形態では、図１に示すように、歯科医院にて作製された治療前模型Ｍ１と、治療中模型Ｍ３とを歯科技工所へ送付して、歯科技工所にて段階別模型Ｍ２を作製してアライナーＡ１〜Ａ３を作製するようにしていた。
しかし、歯科医院にて、口腔内スキャナによる口腔内スキャンした３Ｄデータ、患者の口腔から印象材により印象を採得した凹型をスキャナ装置により読み取った３Ｄデータ、凹型から作製された治療前模型Ｍ１または治療中模型Ｍ３を３Ｄスキャナ装置２４で読み取った３Ｄデータ、営業所内のスキャンセンターにより治療前模型Ｍ１または治療中模型Ｍ３を３Ｄスキャナ装置２４で読み取った３Ｄデータ歯科技工所に送信して、歯科技工所にて段階別模型Ｍ２を作製するようにしてもよい。
また、歯科医院の院内技工所にて、治療前模型Ｍ１または治療中模型Ｍ３の作製から、アライナーＡ１〜Ａ３の作製まで全部を歯科医院内にて行うようにしてもよい。
【００５３】
更に、本実施の形態では、経路設定手段１０５は、歯科技工士が入力手段１１０を操作して、矯正対象歯の治療開始時の位置と、治療終了時の位置とを入力し、その間を直線で結んだり、円弧曲線で結んだり、直線に移動しつつ途中で何回か折れ曲がるようなを経路により結んだりすることを入力して、治療予定経路を設定していた。
しかし、この治療予定経路は、矯正対象歯およびその隣在歯の状態に基づいて自動的に算出することも可能である。
例えば、治療予定経路と、実際に矯正したときの経路である実績経路とを治療ごとに経路情報として蓄積し、この経路情報に基づいてＡＩ（人工知能）を用いることにより、矯正対象歯の治療開始時の位置から治療終了時の位置までの最適な治療予定経路を割り出すことで、矯正治療の均質化を図ることができる。
【００５４】
また、進捗処理手段１０６においても、実際の矯正による矯正対象歯の移動が、治療予定経路から外れた場合に、治療終了時の位置までの最適な治療予定経路を自動的に割り出すようにしてもよい。
【産業上の利用可能性】
【００５５】
本発明は、矯正治療を行う歯科医院、歯型模型を作製する歯科技工所にて好適である。
【符号の説明】
【００５６】
１０  歯科矯正支援装置
１０１  通信手段
１０２  ３Ｄスキャナ制御手段
１０３  ３Ｄモデル処理手段
１０４  ３Ｄプリンタ制御手段
１０５  経路設定手段
１０６  進捗処理手段
１０７  メール処理手段
１０８  印刷制御手段
１０９  表示手段
１１０  入力手段
１１１  記憶手段
２１  情報提供装置
２２  端末装置
２３  印刷装置
２４  ３Ｄスキャナ装置
２５  ３Ｄプリンタ装置
Ａ１〜Ａ３  アライナー
Ｃ  患者
Ｅ  電子メール
Ｒ１，Ｒ４１，Ｒ４２，Ｒ４３  治療予定経路
Ｒ２，Ｒ３  経路
Ｍ１  治療前模型
Ｍ２  段階別模型
Ｍ３  治療中模型
Ｐ１，Ｐ２，Ｐ３，Ｐ４１，Ｐ４２，Ｐ４３，Ｐ５１，Ｐ５２，Ｐ５３，Ｐ５４  位置
Ｔ１  矯正対象歯
Ｔ２，Ｔ３  中切歯
Ｗ  インターネット
【図１】
2020036755.tif 000003
【図２】
2020036755.tif 000004
【図３】
2020036755.tif 000005
【図４】
2020036755.tif 000006
【図５】
2020036755.tif 000007
【図６】
2020036755.tif 000008
【図７】
2020036755.tif 000009
【図８】
2020036755.tif 000010